(57)【要約】【課題】簡易な構成で、建築物の躯体内における湿度を含む躯体内環境を良好にし得る躯体内環境管理システムを提供する。【解決手段】躯体内環境管理システム１は、制御装置６の制御により、第１の換気部５１および第２の換気部５２、５３の各連通口をそれぞれ開閉させ、躯体内の環境を管理するよう構成されている。すなわち、制御装置６は、温度センサ８４により得られた住宅の外部の気温に基づいて季節を判別し、その判別された季節と、時刻取得手段６４により得られた時刻に基づいて昼間と夜間とを判別し、その判別結果と、湿度センサ８２により得られた住宅の外気の湿度と、湿度センサ８３により得られた躯体内の湿度と、結露センサ８１により得られた躯体内の結露の有無とに基づき、第１の換気部５１および第２の換気部５２、５３の作動をそれぞれ制御する。【選択図】図２
2008202819.tif 000002
【特許請求の範囲】
【請求項１】
建築物の躯体内の環境を管理する躯体内環境管理システムであって、
前記建築物の外部と前記躯体内とを連通する少なくとも１つの連通口を有し、該連通口を開閉し、前記躯体内を換気する換気状態と前記躯体内を換気しない非換気状態とに切り換わる換気手段と、
季節を判別する季節判別手段と、
昼間と夜間とを判別する昼／夜判別手段と、
前記建築物の外気の湿度の情報を取得する外気湿度取得手段と、
前記躯体内の湿度の情報を取得する躯体内湿度取得手段と、
前記季節判別手段により判別された季節と、前記昼／夜判別手段による判別結果と、前記外気湿度取得手段により得られた前記建築物の外気の湿度と、前記躯体内湿度取得手段により得られた前記躯体内の湿度とに基づいて、前記換気手段の作動を制御する換気制御手段とを備えることを特徴とする躯体内環境管理システム。
【請求項２】
前記外気湿度取得手段は、通信回線を介して、気象情報から前記建築物の外気の湿度の情報を取得するよう構成されている請求項１に記載の躯体内環境管理システム。
【請求項３】
前記建築物の外部の気温の情報を取得する外気温取得手段を有し、
前記季節判別手段は、前記外気温取得手段により得られた前記建築物の外部の気温に基づいて季節を判別するよう構成されている請求項１または２に記載の躯体内環境管理システム。
【請求項４】
前記季節判別手段は、前記建築物の外部の複数日の平均気温に基づいて季節を判別するよう構成されている請求項３に記載の躯体内環境管理システム。
【請求項５】
前記外気温取得手段は、通信回線を介して、気象情報から前記建築物の外部の気温の情報を取得するよう構成されている請求項３または４に記載の躯体内環境管理システム。
【請求項６】
月日の情報を取得するカレンダー手段を有し、
前記季節判別手段は、前記カレンダー手段により得られた月日に基づいて季節を判別するよう構成されている請求項１または２に記載の躯体内環境管理システム。
【請求項７】
時刻の情報を取得する時刻取得手段を有し、
前記昼／夜判別手段は、前記時刻取得手段により得られた時刻に基づいて昼間と夜間とを判別するよう構成されている請求項１ないし６のいずれかに記載の躯体内環境管理システム。
【請求項８】
前記建築物の外部の光量の情報を取得する光量取得手段を有し、
前記昼／夜判別手段は、前記光量取得手段により得られた前記建築物の外部の光量に基づいて昼間と夜間とを判別するよう構成されている請求項１ないし６のいずれかに記載の躯体内環境管理システム。
【請求項９】
前記建築物の外部の日射量の情報を取得する日射量取得手段を有し、
前記昼／夜判別手段は、前記日射量取得手段により得られた前記建築物の外部の日射量に基づいて昼間と夜間とを判別するよう構成されている請求項１ないし６のいずれかに記載の躯体内環境管理システム。
【請求項１０】
前記季節判別手段は、少なくとも夏と冬とを判別するよう構成されており、
前記季節判別手段により夏と判別され、前記昼／夜判別手段により昼間と判別された場合は、前記換気手段の作動モードを夏昼モードに設定し、
前記季節判別手段により夏と判別され、前記昼／夜判別手段により夜間と判別された場合は、前記換気手段の作動モードを夏夜モードに設定し、
前記季節判別手段により冬と判別され、前記昼／夜判別手段により昼間と判別された場合は、前記換気手段の作動モードを冬昼モードに設定し、
前記季節判別手段により冬と判別され、前記昼／夜判別手段により夜間と判別された場合は、前記換気手段の作動モードを冬夜モードに設定するモード設定手段を有する請求項１ないし９のいずれかに記載の躯体内環境管理システム。
【請求項１１】
前記換気手段は、前記建築物の外部と前記躯体内とを連通する第１の連通口を有し、該第１の連通口を開閉して前記躯体内を換気する第１の換気部と、
前記第１の換気部より下方の位置に設けられ、前記建築物の外部と前記躯体内とを連通する第２の連通口を有し、該第２の連通口を開閉して前記躯体内を換気する第２の換気部とを備える請求項１０に記載の躯体内環境管理システム。
【請求項１２】
前記躯体の内部には、小屋空間および床下空間が形成されており、
前記第１の連通口は、前記建築物の外部と前記小屋空間とを連通し、前記第２の連通口は、前記建築物の外部と前記床下空間とを連通する請求項１１に記載の躯体内環境管理システム。
【請求項１３】
前記夏昼モードおよび前記夏夜モードにおける前記換気状態は、前記第１の連通口および前記第２の連通口を開いた状態、前記非換気状態は、前記第１の連通口および前記第２の連通口を閉じた状態であり、
前記冬昼モードおよび前記冬夜モードにおける前記換気状態は、前記第１の連通口と前記第２の連通口とのうちの一方を開き、他方を閉じた状態、前記非換気状態は、前記第１の連通口および前記第２の連通口を閉じた状態である請求項１１または１２に記載の躯体内環境管理システム。
【請求項１４】
前記建築物の外気の湿度をφ１、前記躯体内の湿度をφ２としたとき、
前記換気制御手段は、前記夏昼モードにおいては、φ２≦ａ・φ１（但し、ａ≧１．０５）の場合は、前記換気手段を前記非換気状態にし、
φ２＞ａ・φ１（但し、ａ≧１．０５）の場合は、前記換気手段を前記換気状態にするよう構成されている請求項１０ないし１３のいずれかに記載の躯体内環境管理システム。
【請求項１５】
前記建築物の外気の湿度をφ１、前記躯体内の湿度をφ２としたとき、
前記換気制御手段は、前記夏夜モードにおいては、φ２＜ｂ・φ１（但し、ｂ≧１．０５）の場合は、前記換気手段を前記非換気状態にし、
φ２≧ｂ・φ１（但し、ｂ≧１．０５）の場合は、前記換気手段を前記換気状態にするよう構成されている請求項１０ないし１４のいずれかに記載の躯体内環境管理システム。
【請求項１６】
前記建築物の外気の湿度をφ１、前記躯体内の湿度をφ２としたとき、
前記換気制御手段は、前記冬昼モードにおいては、ｃ・φ２＜φ１（但し、ｃ≧１．０５）の場合は、前記換気手段を前記非換気状態にし、
ｃ・φ２≧φ１（但し、ｃ≧１．０５）の場合は、前記換気手段を前記換気状態にするよう構成されている請求項１０ないし１５のいずれかに記載の躯体内環境管理システム。
【請求項１７】
前記建築物の外気の湿度をφ１、前記躯体内の湿度をφ２としたとき、
前記換気制御手段は、前記冬夜モードにおいては、ｄ・φ２≦φ１（但し、ｄ≧１．０５）の場合は、前記換気手段を前記非換気状態にし、
ｄ・φ２＞φ１（但し、ｄ≧１．０５）の場合は、前記換気手段を前記換気状態にするよう構成されている請求項１０ないし１６のいずれかに記載の躯体内環境管理システム。
【請求項１８】
前記建築物の外部の気温の情報を取得する外気温取得手段と、
前記躯体内の気温の情報を取得する躯体内気温取得手段とを有し、
前記建築物の外部の気温をＴ１、前記躯体内の気温をＴ２、前記建築物の外気の湿度をφ１、前記躯体内の湿度をφ２としたとき、
前記換気制御手段は、前記夏昼モードにおいては、φ２≦ａ・φ１（但し、ａ≧１．０５）、Ｔ２＞ｅ・Ｔ１（但し、ｅは係数）の場合は、前記換気手段を前記換気状態にし、
φ２≦ａ・φ１（但し、ａ≧１．０５）、Ｔ２≦ｅ・Ｔ１（但し、ｅ≧１．０５）の場合は、前記換気手段を前記非換気状態にし、
φ２＞ａ・φ１（但し、ａ≧１．０５）、ｆ・Ｔ２＞Ｔ１（但し、ｆ≧１．０５）の場合は、前記換気手段を前記換気状態にし、
φ２＞ａ・φ１（但し、ａ≧１．０５）、ｆ・Ｔ２≦Ｔ１（但し、ｆ≧１．０５）の場合は、前記換気手段を前記非換気状態にするよう構成されている請求項１０ないし１３のいずれかに記載の躯体内環境管理システム。
【請求項１９】
前記建築物の外部の気温の情報を取得する外気温取得手段と、
前記躯体内の気温の情報を取得する躯体内気温取得手段とを有し、
前記建築物の外部の気温をＴ１、前記躯体内の気温をＴ２、前記建築物の外気の湿度をφ１、前記躯体内の湿度をφ２としたとき、
前記換気制御手段は、前記夏夜モードにおいては、φ２＜ｂ・φ１（但し、ｂ≧１．０５）、Ｔ２≧ｇ・Ｔ１（但し、ｇは係数）の場合は、前記換気手段を前記換気状態にし、
φ２＜ｂ・φ１（但し、ｂ≧１．０５）、Ｔ２＜ｇ・Ｔ１（但し、ｇ≧１．０５）の場合は、前記換気手段を前記非換気状態にし、
φ２≧ｂ・φ１（但し、ｂ≧１．０５）、ｈ・Ｔ２≧Ｔ１（但し、ｈ≧１．０５）の場合は、前記換気手段を前記換気状態にし、
φ２≧ｂ・φ１（但し、ｂ≧１．０５）、ｈ・Ｔ２＜Ｔ１（但し、ｈ≧１．０５）の場合は、前記換気手段を前記非換気状態にするよう構成されている請求項１０ないし１３、１８のいずれかに記載の躯体内環境管理システム。
【請求項２０】
前記建築物の外部の気温の情報を取得する外気温取得手段と、
前記躯体内の気温の情報を取得する躯体内気温取得手段とを有し、
前記建築物の外部の気温をＴ１、前記躯体内の気温をＴ２、前記建築物の外気の湿度をφ１、前記躯体内の湿度をφ２としたとき、
前記換気制御手段は、前記冬昼モードにおいては、ｃ・φ２≧φ１（但し、ｃ≧１．０５）、Ｔ２＞ｉ・Ｔ１（但し、ｉ≧１．０５）の場合は、前記換気手段を前記非換気状態にし、
ｃ・φ２≧φ１（但し、ｃ≧１．０５）、Ｔ２≦ｉ・Ｔ１（但し、ｉ≧１．０５）の場合は、前記換気手段を前記換気状態にし、
ｃ・φ２＜φ１（但し、ｃ≧１．０５）、ｊ・Ｔ２＞Ｔ１（但し、ｊ≧１．０５）の場合は、前記換気手段を前記非換気状態にし、
ｃ・φ２＜φ１（但し、ｃ≧１．０５）、ｊ・Ｔ２≦Ｔ１（但し、ｊ≧１．０５）の場合は、前記換気手段を前記換気状態にするよう構成されている請求項１０ないし１３、１８、１９のいずれかに記載の躯体内環境管理システム。
【請求項２１】
前記建築物の外部の気温の情報を取得する外気温取得手段と、
前記躯体内の気温の情報を取得する躯体内気温取得手段とを有し、
前記建築物の外部の気温をＴ１、前記躯体内の気温をＴ２、前記建築物の外気の湿度をφ１、前記躯体内の湿度をφ２としたとき、
前記換気制御手段は、前記冬夜モードにおいては、ｄ・φ２＞φ１（但し、ｄ≧１．０５）、Ｔ２≧ｋ・Ｔ１（但し、ｋ≧１．０５）の場合は、前記換気手段を前記非換気状態にし、
ｄ・φ２＞φ１（但し、ｄ≧１．０５）、Ｔ２＜ｋ・Ｔ１（但し、ｋ≧１．０５）の場合は、前記換気手段を前記換気状態にし、
ｄ・φ２≦φ１（但し、ｄ≧１．０５）、ｐ・Ｔ２≧Ｔ１（但し、ｐ≧１．０５）の場合は、前記換気手段を前記非換気状態にし、
ｄ・φ２≦φ１（但し、ｄ≧１．０５）、ｐ・Ｔ２＜Ｔ１（但し、ｐ≧１．０５）の場合は、前記換気手段を前記換気状態にするよう構成されている請求項１０ないし１３、１８ないし２０のいずれかに記載の躯体内環境管理システム。
【請求項２２】
前記外気温取得手段は、通信回線を介して、気象情報から前記建築物の外部の気温の情報を取得するよう構成されている請求項１８ないし２１のいずれかに記載の躯体内環境管理システム。
【請求項２３】
前記躯体内の結露を検出する結露検出手段を有し、
前記換気制御手段は、前記結露検出手段により前記躯体内の結露が検知された場合は、他の条件にかかわらず、前記換気手段を前記換気状態にするよう構成されている請求項１ないし２２のいずれかに記載の躯体内環境管理システム。
【発明の詳細な説明】
【技術分野】
【０００１】
本発明は、躯体内環境管理システムに関するものである。
【背景技術】
【０００２】
従来、建築物として、例えば、屋根の下方に形成される躯体内空間である小屋空間と、床の下方に形成される躯体内空間である床下空間とが、内壁空間（内壁空洞）を介して連通している住宅において、所定箇所にファン等の送気装置を設置し、その送気装置により、小屋空間、内壁空間および床下空間に空気を循環させるエアサイクル住宅が知られている（例えば、特許文献１参照）。また、前記送気装置を用いないエアサイクル住宅も存在する。
【０００３】
このようなエアサイクル住宅には、住宅の外部と躯体内とを連通する連通口を有し、この連通口を手動で開閉して躯体内を換気し得る換気部が設けられている。そして、夏は、換気部の連通口を開いて、換気を行い、一方、冬は、換気部の連通口を閉じて、冷たい外気が躯体内に流入しないようにしている。
【０００４】
しかしながら、前記エアサイクル住宅では、単に、その住人が、季節に応じて、換気部の連通口を開閉するだけの管理、すなわち、夏は、換気部の連通口を開き、冬は、換気部の連通口を閉じるだけの管理しか行っていない。このため、湿気対策が不十分であり、湿気による害が生じることがあった。
【０００５】
【特許文献１】特開平１０−１３２３０１号公報
【発明の開示】
【発明が解決しようとする課題】
【０００６】
本発明の目的は、簡易な構成で、建築物の躯体内における湿度を含む躯体内環境を良好にし得る躯体内環境管理システムを提供することにある。
【課題を解決するための手段】
【０００７】
このような目的は、下記（１）〜（２３）の本発明により達成される。
（１）  建築物の躯体内の環境を管理する躯体内環境管理システムであって、
前記建築物の外部と前記躯体内とを連通する少なくとも１つの連通口を有し、該連通口を開閉し、前記躯体内を換気する換気状態と前記躯体内を換気しない非換気状態とに切り換わる換気手段と、
季節を判別する季節判別手段と、
昼間と夜間とを判別する昼／夜判別手段と、
前記建築物の外気の湿度の情報を取得する外気湿度取得手段と、
前記躯体内の湿度の情報を取得する躯体内湿度取得手段と、
前記季節判別手段により判別された季節と、前記昼／夜判別手段による判別結果と、前記外気湿度取得手段により得られた前記建築物の外気の湿度と、前記躯体内湿度取得手段により得られた前記躯体内の湿度とに基づいて、前記換気手段の作動を制御する換気制御手段とを備えることを特徴とする躯体内環境管理システム。
【０００８】
（２）  前記外気湿度取得手段は、通信回線を介して、気象情報から前記建築物の外気の湿度の情報を取得するよう構成されている上記（１）に記載の躯体内環境管理システム。
【０００９】
（３）  前記建築物の外部の気温の情報を取得する外気温取得手段を有し、
前記季節判別手段は、前記外気温取得手段により得られた前記建築物の外部の気温に基づいて季節を判別するよう構成されている上記（１）または（２）に記載の躯体内環境管理システム。
【００１０】
（４）  前記季節判別手段は、前記建築物の外部の複数日の平均気温に基づいて季節を判別するよう構成されている上記（３）に記載の躯体内環境管理システム。
【００１１】
（５）  前記外気温取得手段は、通信回線を介して、気象情報から前記建築物の外部の気温の情報を取得するよう構成されている上記（３）または（４）に記載の躯体内環境管理システム。
【００１２】
（６）  月日の情報を取得するカレンダー手段を有し、
前記季節判別手段は、前記カレンダー手段により得られた月日に基づいて季節を判別するよう構成されている上記（１）または（２）に記載の躯体内環境管理システム。
【００１３】
（７）  時刻の情報を取得する時刻取得手段を有し、
前記昼／夜判別手段は、前記時刻取得手段により得られた時刻に基づいて昼間と夜間とを判別するよう構成されている上記（１）ないし（６）のいずれかに記載の躯体内環境管理システム。
【００１４】
（８）  前記建築物の外部の光量の情報を取得する光量取得手段を有し、
前記昼／夜判別手段は、前記光量取得手段により得られた前記建築物の外部の光量に基づいて昼間と夜間とを判別するよう構成されている上記（１）ないし（６）のいずれかに記載の躯体内環境管理システム。
【００１５】
（９）  前記建築物の外部の日射量の情報を取得する日射量取得手段を有し、
前記昼／夜判別手段は、前記日射量取得手段により得られた前記建築物の外部の日射量に基づいて昼間と夜間とを判別するよう構成されている上記（１）ないし（６）のいずれかに記載の躯体内環境管理システム。
【００１６】
（１０）  前記季節判別手段は、少なくとも夏と冬とを判別するよう構成されており、
前記季節判別手段により夏と判別され、前記昼／夜判別手段により昼間と判別された場合は、前記換気手段の作動モードを夏昼モードに設定し、
前記季節判別手段により夏と判別され、前記昼／夜判別手段により夜間と判別された場合は、前記換気手段の作動モードを夏夜モードに設定し、
前記季節判別手段により冬と判別され、前記昼／夜判別手段により昼間と判別された場合は、前記換気手段の作動モードを冬昼モードに設定し、
前記季節判別手段により冬と判別され、前記昼／夜判別手段により夜間と判別された場合は、前記換気手段の作動モードを冬夜モードに設定するモード設定手段を有する上記（１）ないし（９）のいずれかに記載の躯体内環境管理システム。
【００１７】
（１１）  前記換気手段は、前記建築物の外部と前記躯体内とを連通する第１の連通口を有し、該第１の連通口を開閉して前記躯体内を換気する第１の換気部と、
前記第１の換気部より下方の位置に設けられ、前記建築物の外部と前記躯体内とを連通する第２の連通口を有し、該第２の連通口を開閉して前記躯体内を換気する第２の換気部とを備える上記（１０）に記載の躯体内環境管理システム。
【００１８】
（１２）  前記躯体の内部には、小屋空間および床下空間が形成されており、
前記第１の連通口は、前記建築物の外部と前記小屋空間とを連通し、前記第２の連通口は、前記建築物の外部と前記床下空間とを連通する上記（１１）に記載の躯体内環境管理システム。
【００１９】
（１３）  前記夏昼モードおよび前記夏夜モードにおける前記換気状態は、前記第１の連通口および前記第２の連通口を開いた状態、前記非換気状態は、前記第１の連通口および前記第２の連通口を閉じた状態であり、
前記冬昼モードおよび前記冬夜モードにおける前記換気状態は、前記第１の連通口と前記第２の連通口とのうちの一方を開き、他方を閉じた状態、前記非換気状態は、前記第１の連通口および前記第２の連通口を閉じた状態である上記（１１）または（１２）に記載の躯体内環境管理システム。
【００２０】
（１４）  前記建築物の外気の湿度をφ１、前記躯体内の湿度をφ２としたとき、
前記換気制御手段は、前記夏昼モードにおいては、φ２≦ａ・φ１（但し、ａ≧１．０５）の場合は、前記換気手段を前記非換気状態にし、
φ２＞ａ・φ１（但し、ａ≧１．０５）の場合は、前記換気手段を前記換気状態にするよう構成されている上記（１０）ないし（１３）のいずれかに記載の躯体内環境管理システム。
【００２１】
（１５）  前記建築物の外気の湿度をφ１、前記躯体内の湿度をφ２としたとき、
前記換気制御手段は、前記夏夜モードにおいては、φ２＜ｂ・φ１（但し、ｂ≧１．０５）の場合は、前記換気手段を前記非換気状態にし、
φ２≧ｂ・φ１（但し、ｂ≧１．０５）の場合は、前記換気手段を前記換気状態にするよう構成されている上記（１０）ないし（１４）のいずれかに記載の躯体内環境管理システム。
【００２２】
（１６）  前記建築物の外気の湿度をφ１、前記躯体内の湿度をφ２としたとき、
前記換気制御手段は、前記冬昼モードにおいては、ｃ・φ２＜φ１（但し、ｃ≧１．０５）の場合は、前記換気手段を前記非換気状態にし、
ｃ・φ２≧φ１（但し、ｃ≧１．０５）の場合は、前記換気手段を前記換気状態にするよう構成されている上記（１０）ないし（１５）のいずれかに記載の躯体内環境管理システム。
【００２３】
（１７）  前記建築物の外気の湿度をφ１、前記躯体内の湿度をφ２としたとき、
前記換気制御手段は、前記冬夜モードにおいては、ｄ・φ２≦φ１（但し、ｄ≧１．０５）の場合は、前記換気手段を前記非換気状態にし、
ｄ・φ２＞φ１（但し、ｄ≧１．０５）の場合は、前記換気手段を前記換気状態にするよう構成されている上記（１０）ないし（１６）のいずれかに記載の躯体内環境管理システム。
【００２４】
（１８）  前記建築物の外部の気温の情報を取得する外気温取得手段と、
前記躯体内の気温の情報を取得する躯体内気温取得手段とを有し、
前記建築物の外部の気温をＴ１、前記躯体内の気温をＴ２、前記建築物の外気の湿度をφ１、前記躯体内の湿度をφ２としたとき、
前記換気制御手段は、前記夏昼モードにおいては、φ２≦ａ・φ１（但し、ａ≧１．０５）、Ｔ２＞ｅ・Ｔ１（但し、ｅは係数）の場合は、前記換気手段を前記換気状態にし、
φ２≦ａ・φ１（但し、ａ≧１．０５）、Ｔ２≦ｅ・Ｔ１（但し、ｅ≧１．０５）の場合は、前記換気手段を前記非換気状態にし、
φ２＞ａ・φ１（但し、ａ≧１．０５）、ｆ・Ｔ２＞Ｔ１（但し、ｆ≧１．０５）の場合は、前記換気手段を前記換気状態にし、
φ２＞ａ・φ１（但し、ａ≧１．０５）、ｆ・Ｔ２≦Ｔ１（但し、ｆ≧１．０５）の場合は、前記換気手段を前記非換気状態にするよう構成されている上記（１０）ないし（１３）のいずれかに記載の躯体内環境管理システム。
【００２５】
（１９）  前記建築物の外部の気温の情報を取得する外気温取得手段と、
前記躯体内の気温の情報を取得する躯体内気温取得手段とを有し、
前記建築物の外部の気温をＴ１、前記躯体内の気温をＴ２、前記建築物の外気の湿度をφ１、前記躯体内の湿度をφ２としたとき、
前記換気制御手段は、前記夏夜モードにおいては、φ２＜ｂ・φ１（但し、ｂ≧１．０５）、Ｔ２≧ｇ・Ｔ１（但し、ｇは係数）の場合は、前記換気手段を前記換気状態にし、
φ２＜ｂ・φ１（但し、ｂ≧１．０５）、Ｔ２＜ｇ・Ｔ１（但し、ｇ≧１．０５）の場合は、前記換気手段を前記非換気状態にし、
φ２≧ｂ・φ１（但し、ｂ≧１．０５）、ｈ・Ｔ２≧Ｔ１（但し、ｈ≧１．０５）の場合は、前記換気手段を前記換気状態にし、
φ２≧ｂ・φ１（但し、ｂ≧１．０５）、ｈ・Ｔ２＜Ｔ１（但し、ｈ≧１．０５）の場合は、前記換気手段を前記非換気状態にするよう構成されている上記（１０）ないし（１３）、（１８）のいずれかに記載の躯体内環境管理システム。
【００２６】
（２０）  前記建築物の外部の気温の情報を取得する外気温取得手段と、
前記躯体内の気温の情報を取得する躯体内気温取得手段とを有し、
前記建築物の外部の気温をＴ１、前記躯体内の気温をＴ２、前記建築物の外気の湿度をφ１、前記躯体内の湿度をφ２としたとき、
前記換気制御手段は、前記冬昼モードにおいては、ｃ・φ２≧φ１（但し、ｃ≧１．０５）、Ｔ２＞ｉ・Ｔ１（但し、ｉ≧１．０５）の場合は、前記換気手段を前記非換気状態にし、
ｃ・φ２≧φ１（但し、ｃ≧１．０５）、Ｔ２≦ｉ・Ｔ１（但し、ｉ≧１．０５）の場合は、前記換気手段を前記換気状態にし、
ｃ・φ２＜φ１（但し、ｃ≧１．０５）、ｊ・Ｔ２＞Ｔ１（但し、ｊ≧１．０５）の場合は、前記換気手段を前記非換気状態にし、
ｃ・φ２＜φ１（但し、ｃ≧１．０５）、ｊ・Ｔ２≦Ｔ１（但し、ｊ≧１．０５）の場合は、前記換気手段を前記換気状態にするよう構成されている上記（１０）ないし（１３）、（１８）、（１９）のいずれかに記載の躯体内環境管理システム。
【００２７】
（２１）  前記建築物の外部の気温の情報を取得する外気温取得手段と、
前記躯体内の気温の情報を取得する躯体内気温取得手段とを有し、
前記建築物の外部の気温をＴ１、前記躯体内の気温をＴ２、前記建築物の外気の湿度をφ１、前記躯体内の湿度をφ２としたとき、
前記換気制御手段は、前記冬夜モードにおいては、ｄ・φ２＞φ１（但し、ｄ≧１．０５）、Ｔ２≧ｋ・Ｔ１（但し、ｋ≧１．０５）の場合は、前記換気手段を前記非換気状態にし、
ｄ・φ２＞φ１（但し、ｄ≧１．０５）、Ｔ２＜ｋ・Ｔ１（但し、ｋ≧１．０５）の場合は、前記換気手段を前記換気状態にし、
ｄ・φ２≦φ１（但し、ｄ≧１．０５）、ｐ・Ｔ２≧Ｔ１（但し、ｐ≧１．０５）の場合は、前記換気手段を前記非換気状態にし、
ｄ・φ２≦φ１（但し、ｄ≧１．０５）、ｐ・Ｔ２＜Ｔ１（但し、ｐ≧１．０５）の場合は、前記換気手段を前記換気状態にするよう構成されている上記（１０）ないし（１３）、（１８）ないし（２０）のいずれかに記載の躯体内環境管理システム。
【００２８】
（２２）  前記外気温取得手段は、通信回線を介して、気象情報から前記建築物の外部の気温の情報を取得するよう構成されている上記（１８）ないし（２１）のいずれかに記載の躯体内環境管理システム。
【００２９】
（２３）  前記躯体内の結露を検出する結露検出手段を有し、
前記換気制御手段は、前記結露検出手段により前記躯体内の結露が検知された場合は、他の条件にかかわらず、前記換気手段を前記換気状態にするよう構成されている上記（１）ないし（２２）のいずれかに記載の躯体内環境管理システム。
【発明の効果】
【００３０】
本発明によれば、本発明によれば、季節と、昼間／夜間と、建築物の外気の湿度と、建築物の躯体内（躯体内空間）の湿度とに基づいて、換気手段の作動（駆動）が制御され、換気状態と非換気状態とに切り換わるよう構成されているので、季節および、昼間／夜間（建築物の外部の気温の高低の程度等）に応じて、躯体内における湿度を含む躯体内環境の管理を容易かつ確実に行うことができ、これにより、特に、湿気による害を防止することができる。すなわち、躯体内における湿度を含む躯体内環境を良好にすることができ、これにより、建築物を快適に利用することができ、また、建築物の耐久性を向上させることができる。
また、構成も簡易である。
【００３１】
また、季節判別手段により、少なくとも夏と冬とを判別し、昼／夜判別手段により、昼間と夜間とを判別し、その結果に基づいて、換気手段の作動モードを、夏昼モードと、夏夜モードと、冬昼モードと、冬夜モードとのうちのいずれかに設定するよう構成されている場合は、夏の昼間、夏の夜間、冬の昼間および冬の夜間（建築物の外部の気温の高低の程度等）に応じて、それぞれ、最適な管理を行うことができる。
【発明を実施するための最良の形態】
【００３２】
以下、本発明の躯体内環境管理システムを添付図面に示す好適実施形態に基づいて詳細に説明する。
【００３３】
＜第１実施形態＞
図１は、本発明の躯体内環境管理システムの第１実施形態が適用された建築物としての住宅の概略構造を示す断面図、図２は、図１に示す躯体内環境管理システムのブロック図、図３は、図１に示す躯体内環境管理システムの制御装置の制御動作を示すフローチャート、図４は、モード設定処理（サブルーチン）を示すフローチャートである。
【００３４】
なお、説明の都合上、図１において、上側を「上」、下側を「下」、左側を「左」、右側を「右」として説明する。
【００３５】
図１に示すように、住宅（建築物）１０は、２階建てであり、室３１、３２および３３、図示しない玄関、図示しない廊下等を画成する躯体２０を有している。なお、室３１〜３３は、それぞれ、居間や寝室に限らず、この他、例えば、キッチン、浴室、トイレ等、種々の居住空間であってよい。
【００３６】
躯体２０は、屋根部（屋根）２１と、外壁部２２と、屋根部２１および外壁部２２の内面に積層された断熱材２３と、基台部２４と、室３１を画成する内壁部２５１、天井２５２および床２５３と、室３２を画成する内壁部２６１、天井２６２および床２６３と、室３３を画成する内壁部２７１、天井２７２および床２７３とを有している。また、躯体２０の内部には、躯体内空間４０が形成されている。
【００３７】
この躯体内空間４０は、小屋空間４１、床下空間４２、ふところ空間４３、および内壁空間（内壁空洞）４４、４５、４６で構成されている。すなわち、躯体内空間４０は、小屋空間４１、床下空間４２、ふところ空間４３、および内壁空間４４、４５、４６が連通して形成される一続きの空間（連通空間）である。
【００３８】
小屋空間４１は、屋根の下方に形成される空間、すなわち、屋根部２１と、室３１の天井２５２の上部および室３３の天井２７２の上部との間に形成される空間である。
【００３９】
また、床下空間４２は、基台部２４と、室３２の床２６３の下部および室３３の床２７３の下部との間に形成される空間である。
【００４０】
また、ふところ空間４３は、隣接する上下の階の間（本実施形態では、１階と２階の間）に形成される空間、すなわち、室３１の床２５３の下部と室３２の天井２６２の上部との間に形成される空間である。
【００４１】
また、内壁空間（内壁空洞）４４は、外壁部（側壁）２２と、内壁部２５１、２６１との間に上下方向に沿って形成される空間、また、内壁空間４５は、内壁部２５１、２６１と、内壁部２７１との間に上下方向に沿って形成される空間、また、内壁空間４６は、外壁部２２と、内壁部２７１との間に上下方向に沿って形成される空間である。
【００４２】
この住宅１０には、躯体２０内の環境を管理する躯体内環境管理システム１が設けられている。
【００４３】
躯体内環境管理システム１は、住宅１０の外部と躯体２０内（躯体内空間４０）とを連通する少なくとも１つの連通口（連通部）を有し、その連通口を開閉し、躯体２０内を換気する換気状態と躯体２０内を換気しない非換気状態とに切り換わる換気手段として、第１の換気部５１と、２つの第２の換気部５２、５３とを備えている。
【００４４】
第１の換気部５１は、屋根部２１の右側の頂上部（中央部）に形成され、住宅１０の外部と小屋空間４１とを連通する第１の連通口（第１の連通部）５１１と、第１の連通口５１１を開閉する図示しない第１のシャッタ（第１の開閉部）と、第１のシャッタを駆動する図示しない第１の駆動機構とで構成されている。この第１の換気部５１は、第１の駆動機構により第１のシャッタを駆動し、第１の連通口５１１を開閉して、躯体２０内を換気するようになっている。
【００４５】
なお、第１の換気部５１の位置は、前記の位置には限定されず、例えば、上方（比較的高い位置）のいずれの箇所であってもよい。
【００４６】
また、一方の第２の換気部５２は、左側の外壁部２２の下部に形成され、住宅１０の外部と床下空間４２とを連通する第２の連通口（第２の連通部）５２１と、第２の連通口５２１を開閉する図示しない第２のシャッタ（第２の開閉部）と、第２のシャッタを駆動する図示しない第２の駆動機構とで構成されている。この第２の換気部５２は、第２の駆動機構により第２のシャッタを駆動し、第２の連通口５２１を開閉して、躯体２０内を換気するようになっている。
【００４７】
また、他方の第２の換気部５３は、右側の外壁部２２の下部に形成され、住宅１０の外部と床下空間４２とを連通する第２の連通口（第２の連通部）５３１と、第２の連通口５３１を開閉する図示しない第２のシャッタ（第２の開閉部）と、第２のシャッタを駆動する図示しない第２の駆動機構とで構成されている。この第２の換気部５３は、第２の駆動機構により第２のシャッタを駆動し、第２の連通口５３１を開閉して、躯体２０内を換気するようになっている。
【００４８】
なお、各換気部５１〜５３には、それぞれ、例えば、ファン等の送気装置が設けられていてもよい。
【００４９】
また、躯体内環境管理システム１は、躯体２０内の結露を検出する結露センサ（結露検出手段）８１と、住宅１０の外気の湿度の情報を取得する外気湿度取得手段として、湿度センサ８２と、躯体２０内の湿度の情報を取得する躯体内湿度取得手段として、湿度センサ８３と、住宅１０の外部の気温（温度）の情報を取得する外気温取得手段として、温度センサ８４とを有している。湿度としては、相対湿度と絶対湿度とのいずれを用いてもよい。
【００５０】
結露センサ８１は、躯体２０内で、湿度が比較的高く、結露し易い箇所に設置されるのが好ましく、本実施形態では、小屋空間４１の上方に位置するように設置されている。
【００５１】
なお、結露センサ８１の位置は、前記の位置には限定されず、例えば、床下空間４２等の下方の箇所であってもよい。
【００５２】
また、湿度センサ８３は、躯体２０内で、湿度が比較的高い箇所に設置されるのが好ましく、本実施形態では、小屋空間４１の上方に位置するように設置されている。
【００５３】
また、図２に示すように、躯体内環境管理システム１は、住宅１０内の所定箇所に設置された制御装置（制御手段）６と、各種の情報を表示（報知）する表示部（報知手段）７１と、入力等の各操作を行う操作部（入力手段）７２とを有している。
【００５４】
制御装置６は、例えば、マイクロコンピュータやパーソナルコンピュータ等で構成され、ＣＰＵ（制御手段）６１およびメモリ（記憶手段）６２等を有している。メモリ６２には、各種の情報、データ、プログラム等が記憶（記録）されている。また、メモリ６２における書き込み（記憶）、書き換え、消去、読み出し等の制御は、ＣＰＵ６１によりなされる。
【００５５】
また、制御装置６は、時刻（時間）の情報を取得する時刻取得手段６４を有している。時刻取得手段６４としては、例えば、時計、通信回線（例えば、インターネット等のネットワーク）を介して時刻の情報を取得するもの等が挙げられる。
【００５６】
この制御装置６は、例えば、各換気部５１〜５３および表示部７１等、躯体内環境管理システム１全体の作動（駆動）を制御する。なお、制御装置６により、季節を判別する季節判別手段と、昼間（昼）と夜間（夜）とを判別する昼／夜判別手段と、各換気部５１〜５３（換気手段）の作動を制御する換気制御手段と、モード設定手段との主機能が、それぞれ達成（構成）される。
【００５７】
また、制御装置６には、結露センサ８１、湿度センサ８２、８３、温度センサ８４および操作部７１からの信号（情報）が、それぞれ、随時入力される。
【００５８】
表示部７１としては、例えば、液晶パネルを備えた液晶表示装置、ＥＬパネルを備えたＥＬ表示装置、ＣＲＴ等、電子画像を表示する各種ディスプレイ等を用いることができる。
【００５９】
なお、表示部７１と操作部７２とは、別々に設けられていてもよく、また、例えば、タッチパネル等を用いることで、そのタッチパネルが表示部７１と操作部７２とを兼ねるようになっていてもよい。
【００６０】
この躯体内環境管理システム１は、制御装置６の制御により、各換気部５１〜５３（換気手段）の各連通口５１１〜５３１をそれぞれ開閉させ、躯体２０内の環境を管理するよう構成されている。すなわち、制御装置６は、季節を判別し、その判別された季節と、昼間と夜間とを判別し、その判別結果と、湿度センサ８２により得られた住宅１０の外気の湿度（湿度センサ８２の検出結果）と、湿度センサ８３により得られた躯体２０内の湿度（湿度センサ８３の検出結果）と、結露センサ８１により得られた躯体２０内の結露の有無（結露センサ８１の検出結果）とに基づき、各換気部５１〜５３の作動をそれぞれ制御する。
【００６１】
また、本実施形態では、制御装置６は、夏と冬とを判別（季節が夏と冬とのいずれであるかを判別）するとともに、昼間と夜間とを判別（昼間と夜間とのいずれであるかを判別）し、その結果、「夏」、「昼間」と判別した場合は、換気部５１〜５３（換気手段）の作動モードを夏昼モードに設定し、また、「夏」、「夜間」と判別した場合は、換気部５１〜５３（換気手段）の作動モードを夏夜モードに設定し、また、「冬」、「昼間」と判別した場合は、換気部５１〜５３（換気手段）の作動モードを冬昼モードに設定し、また、「冬」、「夜間」と判別した場合は、換気部５１〜５３（換気手段）の作動モードを冬夜モードに設定するように構成されている。
【００６２】
また、本実施形態では、制御装置６は、温度センサ８４により得られた住宅１０の外部の気温（温度センサ８４の検出結果）に基づいて、季節を判別するように構成されている。
【００６３】
ここで、前記制御装置６が夏と冬とを判別する方法は、特に限定されず、例えば、下記（１）〜（４）の方法が挙げられる。
【００６４】
（方法１）
常時、または、所定の時間間隔で、季節を判別する。すなわち、常時、または、所定の時間間隔で、住宅１０の外部の気温を取得し、その外部の気温と、しきい値Ｔ０とを比較し、外部の気温がしきい値Ｔ０より大きい場合は、夏と判別し、外部の気温がしきい値Ｔ０以下の場合は、冬と判別する。
【００６５】
前記しきい値Ｔ０は、特に限定されず、操作部７２を操作して任意の値に設定し得るようになっているが、２０〜２５℃程度の範囲内で設定されるのが好ましい。これは、後述する方法２〜４でも同様である。
【００６６】
（方法２）
１日のうちの所定の（決まった）時刻（時間）に、季節を判別する。すなわち、１日のうちの所定の時刻に、住宅１０の外部の気温を取得し、その外部の気温と、しきい値Ｔ０とを比較し、外部の気温がしきい値Ｔ０より大きい場合は、夏と判別し、外部の気温がしきい値Ｔ０以下の場合は、冬と判別する。
【００６７】
（方法３）
住宅１０の外部の１日の平均気温に基づいて季節を判別する。すなわち、例えば、前日の住宅１０の外部の平均気温を求め、その外部の平均気温と、しきい値Ｔ０とを比較し、外部の平均気温がしきい値Ｔ０より大きい場合は、夏と判別し、外部の平均気温がしきい値Ｔ０以下の場合は、冬と判別する。
【００６８】
（方法４）
住宅１０の外部の複数日の平均気温に基づいて季節を判別する。すなわち、例えば、前日からそれ以前の複数日の住宅１０の外部の平均気温を求め、その外部の平均気温と、しきい値Ｔ０とを比較し、外部の平均気温がしきい値Ｔ０より大きい場合は、夏と判別し、外部の平均気温がしきい値Ｔ０以下の場合は、冬と判別する。
【００６９】
なお、前記の各方法は、季節が実際に夏かまたは冬かを判別しているわけではないが、本発明では、季節が実際に夏かまたは冬かを判別するようになっていてもよい。
【００７０】
また、本実施形態では、制御装置６は、時刻取得手段６４により得られた時刻（時間）に基づいて、昼間と夜間とを判別するように構成されている。
【００７１】
ここで、前記制御装置６が昼間と夜間とを判別する方法は、特に限定されず、例えば、下記の方法が挙げられる。
【００７２】
まず、予め、１日を、昼間の時間帯（時刻）と、夜間の時間帯（時刻）とに分けておく。そして、現在の時刻を取得し、その時刻が、昼間の時間帯に含まれる場合は、昼間と判別し、夜間の時間帯に含まれる場合は、夜間と判別する。
【００７３】
前記昼間の時間帯と夜間の時間帯との分け方、すなわち、昼間の時間帯および夜間の時間帯は、それぞれ、特に限定されず、操作部７２を操作して任意の値に設定し得るようになっているが、昼間の時間帯の始期（開始時刻）は、６〜１２時程度に設定されるのが好ましく、また、昼間の時間帯の終期（終了時刻）は、１４〜２０時程度に設定されるのが好ましい。この場合の夜間の時間帯は、１日から前記昼間の時間帯を除いた時間帯である。
【００７４】
また、住宅１０の外気の湿度をφ１、躯体２０内の湿度をφ２としたとき、制御装置６は、夏昼モード、夏夜モード、冬昼モードおよび冬夜モードにおいて、それぞれ、各換気部５１〜５３の作動を下記のように制御するよう構成されている。
【００７５】
＜夏昼モード＞
夏昼モードにおいては、φ２≦ａ・φ１の場合は、換気部５１〜５３（換気手段）を非換気状態にし、φ２＞ａ・φ１の場合は、換気部５１〜５３（換気手段）を換気状態にする。
【００７６】
前記「ａ」は、係数であり、ａ≧１．０５であるのが好ましく、ａ≧１．２であるのがより好ましく、１．６≧ａ≧１．２であるのがさらに好ましく、１．４≧ａ≧１．２であるのが特に好ましい。
【００７７】
＜夏夜モード＞
夏夜モードにおいては、φ２＜ｂ・φ１の場合は、換気部５１〜５３（換気手段）を非換気状態にし、φ２≧ｂ・φ１の場合は、換気部５１〜５３（換気手段）を換気状態にする。
【００７８】
前記「ｂ」は、係数であり、ｂ≧１．０５であるのが好ましく、ｂ≧１．２であるのがより好ましく、１．６≧ｂ≧１．２であるのがさらに好ましく、１．４≧ｂ≧１．２であるのが特に好ましい。
【００７９】
＜冬昼モード＞
冬昼モードにおいては、ｃ・φ２＜φ１の場合は、換気部５１〜５３（換気手段）を非換気状態にし、ｃ・φ２≧φ１の場合は、換気部５１〜５３（換気手段）を換気状態にする。
【００８０】
前記「ｃ」は、係数であり、ｃ≧１．０５であるのが好ましく、ｃ≧１．２であるのがより好ましく、１．６≧ｃ≧１．２であるのがさらに好ましく、１．４≧ｃ≧１．２であるのが特に好ましい。
【００８１】
＜冬夜モード＞
冬夜モードにおいては、ｄ・φ２≦φ１の場合は、換気部５１〜５３（換気手段）を非換気状態にし、ｄ・φ２＞φ１の場合は、換気部５１〜５３（換気手段）を換気状態にする。
【００８２】
前記「ｄ」は、係数であり、ｄ≧１．０５であるのが好ましく、ｄ≧１．２であるのがより好ましく、１．６≧ｄ≧１．２であるのがさらに好ましく、１．４≧ｄ≧１．２であるのが特に好ましい。
【００８３】
また、本実施形態では、夏昼モードおよび夏夜モードにおける換気状態は、第１の連通口５１１および第２の連通口５２１、５３１を開いた状態であり、非換気状態は、第１の連通口５１１および第２の連通口５２１、５３１を閉じた状態である。
【００８４】
また、冬昼モードおよび冬夜モードにおける換気状態は、第１の連通口５１１を開き、第２の連通口５２１、５３１を閉じた状態、または、第１の連通口５１１を閉じ、第２の連通口５２１、５３１を開いた状態であるが、このうちでは、前者の第１の連通口５１１を開き、第２の連通口５２１、５３１を閉じた状態が好ましい。
【００８５】
また、冬昼モードおよび冬夜モードにおける非換気状態は、第１の連通口５１１および第２の連通口５２１、５３１を閉じた状態である。
【００８６】
なお、夏昼モード、夏夜モード、冬昼モードおよび冬夜モードにおける換気状態および非換気状態は、それぞれ、前記以外の状態であてもよいことは言うまでもない。
【００８７】
次に、図３および図４に示すフローチャートに基づいて、躯体内環境管理システム１の作用（動作）を説明する。
【００８８】
住宅１０の居住者等の使用者が制御装置６の操作部７２の電源スイッチをオンすると、躯体内環境管理システム１が作動し、図３に示すように、その制御装置６は、まず、換気部５１〜５３（換気手段）の作動モードを設定するモード設定処理を行う（ステップＳ１０１）。
【００８９】
ステップＳ１０１のモード設定処理では、図４に示すように、住宅１０の外部の気温が、しきい値Ｔ０より大きいか否かを判断し（ステップＳ４０１）、外部の気温がしきい値Ｔ０より大きいと判断した場合は、時刻が昼間の時間帯か否かを判断し（ステップＳ４０２）、時刻が昼間の時間帯と判断した場合は、夏昼モードに設定し（ステップＳ４０４）、時刻が昼間の時間帯ではないと判断した場合、すなわち、時刻が夜間の時間帯と判断した場合は、夏夜モードに設定する（ステップＳ４０５）。
【００９０】
また、ステップＳ４０１において外部の気温がしきい値Ｔ０以下と判断した場合は、時刻が昼間の時間帯か否かを判断し（ステップＳ４０３）、時刻が昼間の時間帯と判断した場合は、冬昼モードに設定し（ステップＳ４０６）、時刻が昼間の時間帯ではないと判断した場合、すなわち、時刻が夜間の時間帯と判断した場合は、冬夜モードに設定する（ステップＳ４０７）。なお、前記夏と冬とを判別する方法、前記昼間と夜間とを判別する方法は、それぞれ、前述した通りである。
【００９１】
次いで、図３に示すように、夏昼モードに設定されているか否かを判断し（ステップＳ１０２）、夏昼モードに設定されていると判断した場合（ステップＳ１０２で「ＹＥＳ」）は、結露センサ８１により躯体２０内の結露が検知されたか否かを判断する（ステップＳ１０３）。
【００９２】
ステップＳ１０３において結露が検知されたと判断した場合は、他の条件にかかわらず、換気部５１〜５３（換気手段）を換気状態にする。すなわち、第１の連通口５１１および第２の連通口５２１、５３１を開いた状態にし（ステップＳ１０５）、ステップＳ１０１に戻り、再度、ステップＳ１０１以降を実行する。
【００９３】
これにより、住宅１０の外部の空気（外気）が第２の換気部５２、５３から床下空間４２に流入し、小屋空間４１内の空気が第１の換気部５１から住宅１０の外部に流出し、また、空気が躯体２０内を循環する。これによって、躯体２０内の湿気を除去することができ、結露を消失させることができる。
【００９４】
また、ステップＳ１０３において結露が検知されないと判断した場合は、φ２（躯体２０内の湿度）≦ａ・φ１（住宅１０の外気の湿度）であるか否かを判断し（ステップＳ１０４）、φ２＞ａ・φ１であると判断した場合は、換気部５１〜５３（換気手段）を換気状態にする。すなわち、第１の連通口５１１および第２の連通口５２１、５３１を開いた状態にし（ステップＳ１０５）、ステップＳ１０１に戻り、再度、ステップＳ１０１以降を実行する。
【００９５】
これにより、住宅１０の外部の空気（外気）が第２の換気部５２、５３から床下空間４２に流入し、小屋空間４１内の空気が第１の換気部５１から住宅１０の外部に流出し、また、空気が躯体２０内を循環する。これによって、躯体２０内の湿気を除去することができ、躯体２０内の湿度を低下させることができる。
【００９６】
また、ステップＳ１０４においてφ２≦ａ・φ１であると判断した場合は、換気部５１〜５３（換気手段）を非換気状態にする。すなわち、第１の連通口５１１および第２の連通口５２１、５３１を閉じた状態にし（ステップＳ１０６）、ステップＳ１０１に戻り、再度、ステップＳ１０１以降を実行する。
これにより、躯体２０内の湿度が低い状態を保持することができる。
【００９７】
また、ステップＳ１０２において夏昼モードに設定されていないと判断した場合（ステップＳ１０２で「ＮＯ」）は、夏夜モードに設定されているか否かを判断し（ステップＳ１０７）、夏夜モードに設定されていると判断した場合（ステップＳ１０７で「ＹＥＳ」）は、結露センサ８１により躯体２０内の結露が検知されたか否かを判断する（ステップＳ１０８）。
【００９８】
ステップＳ１０８において結露が検知されたと判断した場合は、他の条件にかかわらず、換気部５１〜５３（換気手段）を換気状態にする。すなわち、第１の連通口５１１および第２の連通口５２１、５３１を開いた状態にし（ステップＳ１０５）、ステップＳ１０１に戻り、再度、ステップＳ１０１以降を実行する。
【００９９】
これにより、住宅１０の外部の空気（外気）が第２の換気部５２、５３から床下空間４２に流入し、小屋空間４１内の空気が第１の換気部５１から住宅１０の外部に流出し、また、空気が躯体２０内を循環する。これによって、躯体２０内の湿気を除去することができ、結露を消失させることができる。
【０１００】
また、ステップＳ１０８において結露が検知されないと判断した場合は、φ２（躯体２０内の湿度）＜ｂ・φ１（住宅１０の外気の湿度）であるか否かを判断し（ステップＳ１０９）、φ２≧ｂ・φ１であると判断した場合は、換気部５１〜５３（換気手段）を換気状態にする。すなわち、第１の連通口５１１および第２の連通口５２１、５３１を開いた状態にし（ステップＳ１０５）、ステップＳ１０１に戻り、再度、ステップＳ１０１以降を実行する。
【０１０１】
これにより、住宅１０の外部の空気（外気）が第２の換気部５２、５３から床下空間４２に流入し、小屋空間４１内の空気が第１の換気部５１から住宅１０の外部に流出し、また、空気が躯体２０内を循環する。これによって、躯体２０内の湿気を除去することができ、躯体２０内の湿度を低下させることができる。
【０１０２】
また、ステップＳ１０９においてφ２＜ｂ・φ１であると判断した場合は、換気部５１〜５３（換気手段）を非換気状態にする。すなわち、第１の連通口５１１および第２の連通口５２１、５３１を閉じた状態にし（ステップＳ１０６）、ステップＳ１０１に戻り、再度、ステップＳ１０１以降を実行する。
これにより、躯体２０内の湿度が低い状態を保持することができる。
【０１０３】
また、ステップＳ１０７において夏夜モードに設定されていないと判断した場合（ステップＳ１０７で「ＮＯ」）は、冬昼モードに設定されているか否かを判断し（ステップＳ１１０）、冬昼モードに設定されていると判断した場合（ステップＳ１１０で「ＹＥＳ」）は、結露センサ８１により躯体２０内の結露が検知されたか否かを判断する（ステップＳ１１１）。
【０１０４】
ステップＳ１１１において結露が検知されたと判断した場合は、他の条件にかかわらず、換気部５１〜５３（換気手段）を換気状態にする。すなわち、第１の連通口５１１を開き、第２の連通口５２１、５３１を閉じた状態にし（ステップＳ１１３）、ステップＳ１０１に戻り、再度、ステップＳ１０１以降を実行する。
【０１０５】
これにより、住宅１０の外部と、小屋空間４１との間で換気がなされ、また、空気が躯体２０内を循環する。これによって、躯体２０内の湿気を除去することができ、結露を消失させることができる。この場合、第２の連通口５２１、５３１が閉られているので、住宅１０の外部から躯体２０内への冷たい空気（外気）の流入量を少なくすることができる。
【０１０６】
また、ステップＳ１１１において結露が検知されないと判断した場合は、ｃ・φ２（躯体２０内の湿度）＜φ１（住宅１０の外気の湿度）であるか否かを判断し（ステップＳ１１２）、ｃ・φ２≧φ１であると判断した場合は、換気部５１〜５３（換気手段）を換気状態にする。すなわち、第１の連通口５１１を開き、第２の連通口５２１、５３１を閉じた状態にし（ステップＳ１１３）、ステップＳ１０１に戻り、再度、ステップＳ１０１以降を実行する。
【０１０７】
これにより、住宅１０の外部と、小屋空間４１との間で換気がなされ、また、空気が躯体２０内を循環する。これによって、躯体２０内の湿気を除去することができ、結露を消失させることができる。この場合、第２の連通口５２１、５３１が閉られているので、住宅１０の外部から躯体２０内への冷たい空気（外気）の流入量を少なくすることができる。
【０１０８】
また、ステップＳ１１２においてｃ・φ２＜φ１であると判断した場合は、換気部５１〜５３（換気手段）を非換気状態にする。すなわち、第１の連通口５１１および第２の連通口５２１、５３１を閉じた状態にし（ステップＳ１０６）、ステップＳ１０１に戻り、再度、ステップＳ１０１以降を実行する。
これにより、躯体２０内の湿度が低い状態を保持することができる。
【０１０９】
また、ステップＳ１１０において冬昼モードに設定されていないと判断した場合（ステップＳ１１０で「ＮＯ」）、すなわち、冬夜モードに設定されていると判断した場合は、結露センサ８１により躯体２０内の結露が検知されたか否かを判断する（ステップＳ１１５）。
【０１１０】
ステップＳ１１５において結露が検知されたと判断した場合は、他の条件にかかわらず、換気部５１〜５３（換気手段）を換気状態にする。すなわち、第１の連通口５１１を開き、第２の連通口５２１、５３１を閉じた状態にし（ステップＳ１１３）、ステップＳ１０１に戻り、再度、ステップＳ１０１以降を実行する。
【０１１１】
これにより、住宅１０の外部と、小屋空間４１との間で換気がなされ、また、空気が躯体２０内を循環する。これによって、躯体２０内の湿気を除去することができ、結露を消失させることができる。この場合、第２の連通口５２１、５３１が閉られているので、住宅１０の外部から躯体２０内への冷たい空気（外気）の流入量を少なくすることができる。
【０１１２】
また、ステップＳ１１５において結露が検知されないと判断した場合は、ｄ・φ２（躯体２０内の湿度）≦φ１（住宅１０の外気の湿度）であるか否かを判断し（ステップＳ１１６）、ｄ・φ２＞φ１であると判断した場合は、換気部５１〜５３（換気手段）を換気状態にする。すなわち、第１の連通口５１１を開き、第２の連通口５２１、５３１を閉じた状態にし（ステップＳ１１３）、ステップＳ１０１に戻り、再度、ステップＳ１０１以降を実行する。
【０１１３】
これにより、住宅１０の外部と、小屋空間４１との間で換気がなされ、また、空気が躯体２０内を循環する。これによって、躯体２０内の湿気を除去することができ、結露を消失させることができる。この場合、第２の連通口５２１、５３１が閉られているので、住宅１０の外部から躯体２０内への冷たい空気（外気）の流入量を少なくすることができる。
【０１１４】
また、ステップＳ１１６においてｄ・φ２≦φ１であると判断した場合は、換気部５１〜５３（換気手段）を非換気状態にする。すなわち、第１の連通口５１１および第２の連通口５２１、５３１を閉じた状態にし（ステップＳ１１４）、ステップＳ１０１に戻り、再度、ステップＳ１０１以降を実行する。
これにより、躯体２０内の湿度が低い状態を保持することができる。
【０１１５】
以上説明したように、この躯体内環境管理システム１によれば、簡易な構造（構成）で、夏の昼間、夏の夜間、冬の昼間および冬の夜間（建築物の外部の気温の高低の程度等）に応じて、それぞれ、躯体２０内における湿度を含む躯体内環境の管理を容易かつ確実に行うことができ、これにより、特に、湿気による害を防止することができる。すなわち、夏の昼間、夏の夜間、冬の昼間および冬の夜間に応じて、それぞれ、躯体２０内における湿度を含む躯体内環境を良好にすることができ、これにより、住宅１０において快適に生活することができ、また、住宅１０の耐久性を向上させることができる。
【０１１６】
ここで、本発明では、通信回線を介して、各情報のうちの所定の情報を取得するように構成されていてもよい。すなわち、例えば、外気温取得手段は、通信回線を介して、住宅（建築物）１０の外部の気温の情報を取得するよう構成されていてもよく、また、外気湿度取得手段は、通信回線を介して、住宅１０の外気の湿度の情報を取得するように構成されていてもよい。この場合は、温度センサ８４、湿度センサ８２が省略され、これにより、部品点数を削減し、構成を簡素化することができる。
【０１１７】
また、住宅１０の外部の気温の情報、住宅１０の外気の湿度の情報は、それぞれ、例えば、気象情報等から取得することができる。
【０１１８】
また、通信回線としては、特に限定されず、例えば、インターネット（インターネット回線）等のオープンネットワークや専用ネットワーク等のネットワーク等が挙げられる。
【０１１９】
なお、この通信回線を利用する構成は、他の各実施形態にもそれぞれ適用することができる。
【０１２０】
＜第２実施形態＞
図５は、本発明の躯体内環境管理システムの第２実施形態における制御装置の制御動作を示すフローチャートである。
【０１２１】
以下、第２実施形態の躯体内環境管理システム１について、前述した第１実施形態との相違点を中心に説明し、同様の事項については、その説明を省略する。
【０１２２】
図５に示すように、第２実施形態の躯体内環境管理システム１では、ステップＳ２０１〜Ｓ２１０は、それぞれ、第１実施形態のステップＳ１０１〜Ｓ１１０と同様である。
【０１２３】
そして、ステップ２１０において冬昼モードに設定されていると判断した場合（ステップＳ２１０で「ＹＥＳ」）は、他の条件にかかわらず、換気部５１〜５３（換気手段）を換気状態にする。すなわち、第１の連通口５１１を開き、第２の連通口５２１、５３１を閉じた状態にし（ステップＳ２１２）、ステップＳ２０１に戻り、再度、ステップＳ２０１以降を実行する。
【０１２４】
これにより、住宅１０の外部と、小屋空間４１との間で換気がなされ、また、空気が躯体２０内を循環する。これによって、躯体２０内の湿気を除去することができ、結露を防止することができる。この場合、第２の連通口５２１、５３１が閉られているので、住宅１０の外部から躯体２０内への冷たい空気（外気）の流入量を少なくすることができる。
【０１２５】
また、ステップＳ２１０において冬昼モードに設定されていないと判断した場合（ステップＳ２１０で「ＮＯ」）、すなわち、冬夜モードに設定されていると判断した場合は、結露センサ８１により躯体２０内の結露が検知されたか否かを判断し（ステップＳ２１１）、結露が検知されたと判断した場合は、他の条件にかかわらず、換気部５１〜５３（換気手段）を換気状態にする。すなわち、第１の連通口５１１を開き、第２の連通口５２１、５３１を閉じた状態にし（ステップＳ２１２）、ステップＳ２０１に戻り、再度、ステップＳ２０１以降を実行する。
【０１２６】
これにより、住宅１０の外部と、小屋空間４１との間で換気がなされ、また、空気が躯体２０内を循環する。これによって、躯体２０内の湿気を除去することができ、結露を消失させることができる。この場合、第２の連通口５２１、５３１が閉られているので、住宅１０の外部から躯体２０内への冷たい空気（外気）の流入量を少なくすることができる。
【０１２７】
また、ステップＳ２１１において結露が検知されないと判断した場合は、換気部５１〜５３（換気手段）を非換気状態にする。すなわち、第１の連通口５１１および第２の連通口５２１、５３１を閉じた状態にし（ステップＳ２１３）、ステップＳ２０１に戻り、再度、ステップＳ２０１以降を実行する。これにより、躯体２０内の湿度が低く、結露が生じない状態を保持することができる。
【０１２８】
この躯体内環境管理システム１によれば、前述した第１実施形態と同様の効果が得られる。
【０１２９】
＜第３実施形態＞
図６は、本発明の躯体内環境管理システムの第３実施形態を示すブロック図、図７および図８は、図６に示す躯体内環境管理システムの制御装置の制御動作を示すフローチャートである。
【０１３０】
以下、第３実施形態の躯体内環境管理システム１について、前述した第１実施形態との相違点を中心に説明し、同様の事項については、その説明を省略する。
【０１３１】
図６に示すように、第３実施形態の躯体内環境管理システム１では、さらに、躯体２０内の気温（温度）の情報を取得する躯体内気温取得手段として、温度センサ８５を有している。この温度センサ８５は、躯体２０内で、気温が比較的高い箇所に設置されるのが好ましく、本実施形態では、小屋空間４１の上方に位置するように設置されている。
【０１３２】
また、制御装置６は、季節を判別し、その判別された季節と、昼間と夜間とを判別し、その判別結果と、湿度センサ８２により得られた住宅１０の外気の湿度（湿度センサ８２の検出結果）と、湿度センサ８３により得られた躯体２０内の湿度（湿度センサ８３の検出結果）と、温度センサ８４により得られた住宅１０の外部の気温（温度センサ８４の検出結果）と、温度センサ８５により得られた躯体２０内の気温（温度センサ８５の検出結果）と、結露センサ８１により得られた躯体２０内の結露の有無（結露センサ８１の検出結果）とに基づき、各換気部５１〜５３の作動をそれぞれ制御するように構成されている。
【０１３３】
すなわち、住宅１０の外部の気温をＴ１、躯体２０内の気温をＴ２、住宅１０の外気の湿度をφ１、躯体２０内の湿度をφ２としたとき、制御装置６は、夏昼モード、夏夜モード、冬昼モードおよび冬夜モードにおいて、それぞれ、各換気部５１〜５３の作動を下記のように制御するよう構成されている。
【０１３４】
＜夏昼モード＞
夏昼モードにおいては、φ２≦ａ・φ１、Ｔ２＞ｅ・Ｔ１の場合は、換気部５１〜５３（換気手段）を換気状態にし、φ２≦ａ・φ１、Ｔ２≦ｅ・Ｔ１の場合は、換気部５１〜５３（換気手段）を非換気状態にし、φ２＞ａ・φ１、ｆ・Ｔ２＞Ｔ１の場合は、換気部５１〜５３（換気手段）を換気状態にし、φ２＞ａ・φ１、ｆ・Ｔ２≦Ｔ１の場合は、換気部５１〜５３（換気手段）を非換気状態にする。
【０１３５】
前記「ａ」は、係数であり、ａ≧１．０５であるのが好ましく、ａ≧１．２であるのがより好ましく、１．６≧ａ≧１．２であるのがさらに好ましく、１．４≧ａ≧１．２であるのが特に好ましい。
【０１３６】
また、前記「ｅ」は、係数であり、ｅ≧１．０５であるのが好ましく、ｅ≧１．２であるのがより好ましく、１．６≧ｅ≧１．２であるのがさらに好ましく、１．４≧ｅ≧１．２であるのが特に好ましい。
【０１３７】
また、前記「ｆ」は、係数であり、ｆ≧１．０５であるのが好ましく、ｆ≧１．２であるのがより好ましく、１．６≧ｆ≧１．２であるのがさらに好ましく、１．４≧ｆ≧１．２であるのが特に好ましい。
【０１３８】
＜夏夜モード＞
夏夜モードにおいては、φ２＜ｂ・φ１、Ｔ２≧ｇ・Ｔ１の場合は、換気部５１〜５３（換気手段）を換気状態にし、φ２＜ｂ・φ１、Ｔ２＜ｇ・Ｔ１の場合は、換気部５１〜５３（換気手段）を非換気状態にし、φ２≧ｂ・φ１、ｈ・Ｔ２≧Ｔ１の場合は、換気部５１〜５３（換気手段）を換気状態にし、φ２≧ｂ・φ１、ｈ・Ｔ２＜Ｔ１の場合は、換気部５１〜５３（換気手段）を非換気状態にする。
【０１３９】
前記「ｂ」は、係数であり、ｂ≧１．０５であるのが好ましく、ｂ≧１．２であるのがより好ましく、１．６≧ｂ≧１．２であるのがさらに好ましく、１．４≧ｂ≧１．２であるのが特に好ましい。
【０１４０】
また、前記「ｇ」は、係数であり、ｇ≧１．０５であるのが好ましく、ｇ≧１．２であるのがより好ましく、１．６≧ｇ≧１．２であるのがさらに好ましく、１．４≧ｇ≧１．２であるのが特に好ましい。
【０１４１】
また、前記「ｈ」は、係数であり、ｈ≧１．０５であるのが好ましく、ｈ≧１．２であるのがより好ましく、１．６≧ｈ≧１．２であるのがさらに好ましく、１．４≧ｈ≧１．２であるのが特に好ましい。
【０１４２】
＜冬昼モード＞
冬昼モードにおいては、ｃ・φ２≧φ１、Ｔ２＞ｉ・Ｔ１の場合は、換気部５１〜５３（換気手段）を非換気状態にし、ｃ・φ２≧φ１、Ｔ２≦ｉ・Ｔ１の場合は、換気部５１〜５３（換気手段）を換気状態にし、ｃ・φ２＜φ１、ｊ・Ｔ２＞Ｔ１の場合は、換気部５１〜５３（換気手段）を非換気状態にし、ｃ・φ２＜φ１、ｊ・Ｔ２≦Ｔ１の場合は、換気部５１〜５３（換気手段）を換気状態にする。
【０１４３】
前記「ｃ」は、係数であり、ｃ≧１．０５であるのが好ましく、ｃ≧１．２であるのがより好ましく、１．６≧ｃ≧１．２であるのがさらに好ましく、１．４≧ｃ≧１．２であるのが特に好ましい。
【０１４４】
また、前記「ｉ」は、係数であり、ｉ≧１．０５であるのが好ましく、ｉ≧１．２であるのがより好ましく、１．６≧ｉ≧１．２であるのがさらに好ましく、１．４≧ｉ≧１．２であるのが特に好ましい。
【０１４５】
また、前記「ｊ」は、係数であり、ｊ≧１．０５であるのが好ましく、ｊ≧１．２であるのがより好ましく、１．６≧ｊ≧１．２であるのがさらに好ましく、１．４≧ｊ≧１．２であるのが特に好ましい。
【０１４６】
＜冬夜モード＞
冬夜モードにおいては、ｄ・φ２＞φ１、Ｔ２≧ｋ・Ｔ１の場合は、換気部５１〜５３（換気手段）を非換気状態にし、ｄ・φ２＞φ１、Ｔ２＜ｋ・Ｔ１の場合は、換気部５１〜５３（換気手段）を換気状態にし、ｄ・φ２≦φ１、ｐ・Ｔ２≧Ｔ１の場合は、換気部５１〜５３（換気手段）を非換気状態にし、ｄ・φ２≦φ１、ｐ・Ｔ２＜Ｔ１の場合は、換気部５１〜５３（換気手段）を換気状態にする。
【０１４７】
前記「ｄ」は、係数であり、ｄ≧１．０５であるのが好ましく、ｄ≧１．２であるのがより好ましく、１．６≧ｄ≧１．２であるのがさらに好ましく、１．４≧ｄ≧１．２であるのが特に好ましい。
【０１４８】
また、前記「ｋ」は、係数であり、ｋ≧１．０５であるのが好ましく、ｋ≧１．２であるのがより好ましく、１．６≧ｋ≧１．２であるのがさらに好ましく、１．４≧ｋ≧１．２であるのが特に好ましい。
【０１４９】
また、前記「ｐ」は、係数であり、ｐ≧１．０５であるのが好ましく、ｐ≧１．２であるのがより好ましく、１．６≧ｐ≧１．２であるのがさらに好ましく、１．４≧ｐ≧１．２であるのが特に好ましい。
【０１５０】
次に、図７および図８に示すフローチャートに基づいて、躯体内環境管理システム１の作用（動作）を説明する。
【０１５１】
図７および図８に示すように、第３実施形態の躯体内環境管理システム１では、ステップＳ３０１〜Ｓ３０４、Ｓ３０７〜Ｓ３１１は、それぞれ、第１実施形態のステップＳ１０１〜Ｓ１０９と同様であり、また、ステップＳ３１４〜Ｓ３１６、Ｓ３１９〜Ｓ３２２は、それぞれ、第１実施形態のステップＳ１１０〜Ｓ１１６と同様である。
【０１５２】
そして、夏昼モードにおけるステップＳ３０４においてφ２（躯体２０内の湿度）≦ａ・φ１（住宅１０の外気の湿度）であると判断した場合は、Ｔ２（躯体２０内の気温）＞ｅ・Ｔ１（住宅１０の外部の気温）であるか否かを判断し（ステップＳ３０５）、Ｔ２＞ｅ・Ｔ１であると判断した場合は、ステップＳ３０７に移行する。
【０１５３】
また、ステップＳ３０５においてＴ２≦ｅ・Ｔ１であると判断した場合は、ステップＳ３０８に移行する。
【０１５４】
また、ステップＳ３０４においてφ２＞ａ・φ１であると判断した場合は、ｆ・Ｔ２（躯体２０内の気温）＞Ｔ１（住宅１０の外部の気温）であるか否かを判断し（ステップＳ３０６）、ｆ・Ｔ２＞Ｔ１であると判断した場合は、ステップＳ３０７に移行する。
【０１５５】
また、ステップＳ３０６においてｆ・Ｔ２≦Ｔ１であると判断した場合は、ステップＳ３０８に移行する。
【０１５６】
また、夏夜モードにおけるステップＳ３１１においてφ２（躯体２０内の湿度）＜ｂ・φ１（住宅１０の外気の湿度）であると判断した場合は、Ｔ２（躯体２０内の気温）≧ｇ・Ｔ１（住宅１０の外部の気温）であるか否かを判断し（ステップＳ３１２）、Ｔ２≧ｇ・Ｔ１であると判断した場合は、ステップＳ３０７に移行する。
【０１５７】
また、ステップＳ３１２においてＴ２＜ｇ・Ｔ１であると判断した場合は、ステップＳ３０８に移行する。
【０１５８】
また、ステップＳ３１１においてφ２≧ｂ・φ１であると判断した場合は、ｈ・Ｔ２（躯体２０内の気温）≧Ｔ１（住宅１０の外部の気温）であるか否かを判断し（ステップＳ３１３）、ｈ・Ｔ２≧Ｔ１であると判断した場合は、ステップＳ３０７に移行する。
【０１５９】
また、ステップＳ３１３においてｈ・Ｔ２＜Ｔ１であると判断した場合は、ステップＳ３０８に移行する。
【０１６０】
また、冬昼モードにおけるステップＳ３１６においてｃ・φ２（躯体２０内の湿度）≧φ１（住宅１０の外気の湿度）であると判断した場合は、Ｔ２（躯体２０内の気温）＞ｉ・Ｔ１（住宅１０の外部の気温）であるか否かを判断し（ステップＳ３１７）、Ｔ２≦ｉ・Ｔ１であると判断した場合は、ステップＳ３１９に移行する。
【０１６１】
また、ステップＳ３１７においてＴ２＞ｉ・Ｔ１であると判断した場合は、ステップＳ３２０に移行する。
【０１６２】
また、ステップＳ３１６においてｃ・φ２＜φ１であると判断した場合は、ｊ・Ｔ２（躯体２０内の気温）＞Ｔ１（住宅１０の外部の気温）であるか否かを判断し（ステップＳ３１８）、ｊ・Ｔ２≦Ｔ１であると判断した場合は、ステップＳ３１９に移行する。
【０１６３】
また、ステップＳ３１８においてｊ・Ｔ２＞Ｔ１であると判断した場合は、ステップＳ３２０に移行する。
【０１６４】
また、冬夜モードにおけるステップＳ３２２においてｄ・φ２（躯体２０内の湿度）＞φ１（住宅１０の外気の湿度）であると判断した場合は、Ｔ２（躯体２０内の気温）≧ｋ・Ｔ１（住宅１０の外部の気温）であるか否かを判断し（ステップＳ３２３）、Ｔ２＜ｋ・Ｔ１であると判断した場合は、ステップＳ３１９に移行する。
【０１６５】
また、ステップＳ３２３においてＴ２≧ｋ・Ｔ１であると判断した場合は、ステップＳ３２０に移行する。
【０１６６】
また、ステップＳ３２２においてｄ・φ２≦φ１であると判断した場合は、ｐ・Ｔ２（躯体２０内の気温）≧Ｔ１（住宅１０の外部の気温）であるか否かを判断し（ステップＳ３２４）、ｐ・Ｔ２＜Ｔ１であると判断した場合は、ステップＳ３１９に移行する。
【０１６７】
また、ステップＳ３２４においてｐ・Ｔ２≧Ｔ１であると判断した場合は、ステップＳ３２０に移行する。
【０１６８】
この躯体内環境管理システム１によれば、前述した第１実施形態と同様の効果が得られる。
【０１６９】
そして、この躯体内環境管理システム１では、夏の昼間、夏の夜間、冬の昼間および冬の夜間（建築物の外部の気温の高低の程度等）に応じて、それぞれ、躯体２０内における湿度および温度を含む躯体内環境の管理を容易かつ確実に行うことができる。
【０１７０】
＜第４実施形態＞
図９は、本発明の躯体内環境管理システムの第４実施形態を示すブロック図、図１０は、図９に示す躯体内環境管理システムのモード設定処理（サブルーチン）を示すフローチャートである。
【０１７１】
以下、第４実施形態の躯体内環境管理システム１について、前述した第１実施形態との相違点を中心に説明し、同様の事項については、その説明を省略する。
【０１７２】
図９に示すように、第４実施形態の躯体内環境管理システム１は、住宅（建築物）１０の外部の光量の情報を取得する光量取得手段として、光センサ８６を有しており、制御装置６は、その光センサ８６により得られた（光センサ８６が受光した）住宅１０の外部の光量（受光光量）に基づいて、昼間と夜間とを判別するように構成されている。
【０１７３】
前記制御装置６が昼間と夜間とを判別する方法は、特に限定されず、例えば、下記の方法が挙げられる。
【０１７４】
常時、または、所定の時間間隔で、光センサ８６により住宅１０の外部の光量を取得し、その外部の光量と、しきい値Ｕ０とを比較し、外部の光量がしきい値Ｕ０より大きい場合は、昼間と判別し、外部の光量がしきい値Ｕ０以下の場合は、夜間と判別する。
【０１７５】
前記しきい値Ｕ０は、昼間において光センサ８６により検出される住宅１０の外部の光量と、夜間において光センサ８６により検出される住宅１０の外部の光量との境界値であり、特に限定されず、操作部７２を操作して任意の値に設定し得るようになっている。
【０１７６】
次に、図１０に示すフローチャートに基づいて、躯体内環境管理システム１の作用（動作）を説明する。
【０１７７】
第４実施形態の躯体内環境管理システム１では、ステップＳ１０１のモード設定処理（図３参照）のみが第１実施形態と異なっており、そのモード設定処理では、図１０に示すように、住宅１０の外部の気温が、しきい値Ｔ０より大きいか否かを判断し（ステップＳ５０１）、外部の気温がしきい値Ｔ０より大きいと判断した場合は、光センサ８６により検出された住宅１０の外部の光量（受光光量）が、しきい値Ｕ０より大きいか否かを判断し（ステップＳ５０２）、外部の光量がしきい値Ｕ０より大きいと判断した場合は、夏昼モードに設定し（ステップＳ５０４）、外部の光量がしきい値Ｕ０以下と判断した場合は、夏夜モードに設定する（ステップＳ５０５）。
【０１７８】
また、ステップＳ５０１において外部の気温がしきい値Ｔ０以下と判断した場合は、光センサ８６により検出された住宅１０の外部の光量（受光光量）が、しきい値Ｕ０より大きいか否かを判断し（ステップＳ５０３）、外部の光量がしきい値Ｕ０より大きいと判断した場合は、冬昼モードに設定し（ステップＳ５０６）、外部の光量がしきい値Ｕ０以下と判断した場合は、冬夜モードに設定する（ステップＳ５０７）。
【０１７９】
この躯体内環境管理システム１によれば、前述した第１実施形態と同様の効果が得られる。
【０１８０】
なお、この第４実施形態は、前記第２実施形態および第３実施形態にもそれぞれ適用することができる。
【０１８１】
＜第５実施形態＞
図１１は、本発明の躯体内環境管理システムの第５実施形態を示すブロック図、図１１２は、図１１に示す躯体内環境管理システムのモード設定処理（サブルーチン）を示すフローチャートである。
【０１８２】
以下、第５実施形態の躯体内環境管理システム１について、前述した第１実施形態との相違点を中心に説明し、同様の事項については、その説明を省略する。
【０１８３】
図１１に示すように、第５実施形態の躯体内環境管理システム１は、住宅（建築物）１０の外部の日射量の情報を取得する日射量取得手段として、日射計８７を有しており、制御装置６は、その日射計８７により得られた住宅１０の外部の日射量に基づいて、昼間と夜間とを判別するように構成されている。
【０１８４】
前記制御装置６が昼間と夜間とを判別する方法は、特に限定されず、例えば、下記の方法が挙げられる。
【０１８５】
常時、または、所定の時間間隔で、日射計８７により住宅１０の外部の日射量を取得し、その外部の日射量と、しきい値Ｖ０とを比較し、外部の日射量がしきい値Ｖ０より大きい場合は、昼間と判別し、外部の日射量がしきい値Ｖ０以下の場合は、夜間と判別する。
【０１８６】
前記しきい値Ｖ０は、昼間において日射計８７により検出される住宅１０の外部の日射量と、夜間において日射計８７により検出される住宅１０の外部の日射量との境界値であり、特に限定されず、操作部７２を操作して任意の値に設定し得るようになっている。
【０１８７】
次に、図１２に示すフローチャートに基づいて、躯体内環境管理システム１の作用（動作）を説明する。
【０１８８】
第５実施形態の躯体内環境管理システム１では、ステップＳ１０１のモード設定処理（図３参照）のみが第１実施形態と異なっており、そのモード設定処理では、図１２に示すように、住宅１０の外部の気温が、しきい値Ｔ０より大きいか否かを判断し（ステップＳ６０１）、外部の気温がしきい値Ｔ０より大きいと判断した場合は、日射計８７により検出された住宅１０の外部の日射量が、しきい値Ｖ０より大きいか否かを判断し（ステップＳ６０２）、外部の日射量がしきい値Ｖ０より大きいと判断した場合は、夏昼モードに設定し（ステップＳ６０４）、外部の日射量がしきい値Ｖ０以下と判断した場合は、夏夜モードに設定する（ステップＳ６０５）。
【０１８９】
また、ステップＳ６０１において外部の気温がしきい値Ｔ０以下と判断した場合は、日射計８７により検出された住宅１０の外部の日射量が、しきい値Ｖ０より大きいか否かを判断し（ステップＳ６０３）、外部の日射量がしきい値Ｖ０より大きいと判断した場合は、冬昼モードに設定し（ステップＳ６０６）、外部の日射量がしきい値Ｖ０以下と判断した場合は、冬夜モードに設定する（ステップＳ６０７）。
【０１９０】
この躯体内環境管理システム１によれば、前述した第１実施形態と同様の効果が得られる。
【０１９１】
なお、日射計８７は、温度（気温）を検出し、その検出値（検出結果）に基づいて、日射量を求めるようになっているので、日射計８７に換えて、例えば、温度（気温）を検出する温度センサ等の温度検出手段（気温検出手段）を用いてもよい。
【０１９２】
また、この第５実施形態は、前記第２実施形態および第３実施形態にもそれぞれ適用することができる。
【０１９３】
＜第６実施形態＞
図１３は、本発明の躯体内環境管理システムの第６実施形態を示すブロック図、図１４は、図１３に示す躯体内環境管理システムのモード設定処理（サブルーチン）を示すフローチャートである。
【０１９４】
以下、第６実施形態の躯体内環境管理システム１について、前述した第１実施形態との相違点を中心に説明し、同様の事項については、その説明を省略する。
【０１９５】
図１３に示すように、第６実施形態の躯体内環境管理システム１では、制御装置６は、月日の情報を取得するカレンダー手段６３を有しており、そのカレンダー手段６３により得られた月日に基づいて、季節を判別するよう構成されている。
【０１９６】
カレンダー手段６３としては、例えば、時計、通信回線（例えば、インターネット等のネットワーク）を介して月日の情報を取得するもの等が挙げられる。
【０１９７】
なお、カレンダー手段６３と時刻取得手段６４とは、別々に設けられていてもよく、また、共用でもよい。
【０１９８】
次に、図１４に示すフローチャートに基づいて、躯体内環境管理システム１の作用（動作）を説明する。
【０１９９】
第６実施形態の躯体内環境管理システム１では、ステップＳ１０１のモード設定処理（図３参照）のみが第１実施形態と異なっており、そのモード設定処理では、図１４に示すように、現在の月が、α月〜β月か否かを判断し（ステップＳ７０１）、α月〜β月と判断した場合は、時刻が昼間の時間帯か否かを判断し（ステップＳ７０２）、時刻が昼間の時間帯と判断した場合は、夏昼モードに設定し（ステップＳ７０４）、時刻が昼間の時間帯ではないと判断した場合、すなわち、時刻が夜間の時間帯と判断した場合は、夏夜モードに設定する（ステップＳ７０５）。
【０２００】
また、ステップＳ７０１においてα月〜β月ではないと判断した場合は、時刻が昼間の時間帯か否かを判断し（ステップＳ７０３）、時刻が昼間の時間帯と判断した場合は、冬昼モードに設定し（ステップＳ７０６）、時刻が昼間の時間帯ではないと判断した場合、すなわち、時刻が夜間の時間帯と判断した場合は、冬夜モードに設定する（ステップＳ７０７）。
【０２０１】
前記αおよびβは、それぞれ、特に限定されず、操作部７２を操作して任意の値に設定し得るようになっているが、αは、４または５に設定されるのが好ましく、また、βは、９または１０に設定されるのが好ましい。
【０２０２】
この躯体内環境管理システム１によれば、前述した第１実施形態と同様の効果が得られる。
【０２０３】
なお、この第６実施形態は、前記第２実施形態および第３実施形態にもそれぞれ適用することができる。
【０２０４】
＜第７実施形態＞
図１５は、本発明の躯体内環境管理システムの第７実施形態を示すブロック図、図１６は、図１５に示す躯体内環境管理システムのモード設定処理（サブルーチン）を示すフローチャートである。
【０２０５】
以下、第７実施形態の躯体内環境管理システム１について、前述した第４実施形態および第６実施形態との相違点を中心に説明し、同様の事項については、その説明を省略する。
【０２０６】
図１５に示すように、第７実施形態の躯体内環境管理システム１は、第６実施形態における時刻取得手段６４を、第４実施形態における光センサ（光量取得手段）８６に換えたものであり、制御装置６は、カレンダー手段６３により得られた月日に基づいて、季節を判別し、光センサ８６により得られた（光センサ８６が受光した）住宅１０の外部の光量（受光光量）に基づいて、昼間と夜間とを判別するように構成されている。
【０２０７】
次に、図１６に示すフローチャートに基づいて、躯体内環境管理システム１の作用（動作）を説明する。
【０２０８】
第７実施形態の躯体内環境管理システム１では、ステップＳ１０１のモード設定処理（図３参照）のみが第１実施形態と異なっており、そのモード設定処理では、図１６に示すように、現在の月が、α月〜β月か否かを判断し（ステップＳ８０１）、α月〜β月と判断した場合は、光センサ８６により検出された住宅１０の外部の光量（受光光量）が、しきい値Ｕ０より大きいか否かを判断し（ステップＳ８０２）、外部の光量がしきい値Ｕ０より大きいと判断した場合は、夏昼モードに設定し（ステップＳ８０４）、外部の光量がしきい値Ｕ０以下と判断した場合は、夏夜モードに設定する（ステップＳ８０５）。
【０２０９】
また、ステップＳ８０１においてα月〜β月ではないと判断した場合は、光センサ８６により検出された住宅１０の外部の光量（受光光量）が、しきい値Ｕ０より大きいか否かを判断し（ステップＳ８０３）、外部の光量がしきい値Ｕ０より大きいと判断した場合は、冬昼モードに設定し（ステップＳ８０６）、外部の光量がしきい値Ｕ０以下と判断した場合は、冬夜モードに設定する（ステップＳ８０７）。
【０２１０】
この躯体内環境管理システム１によれば、前述した第４実施形態および第６実施形態と同様の効果が得られる。
【０２１１】
なお、この第７実施形態は、前記第２実施形態および第３実施形態にもそれぞれ適用することができる。
【０２１２】
＜第８実施形態＞
図１７は、本発明の躯体内環境管理システムの第８実施形態を示すブロック図、図１８は、図１７に示す躯体内環境管理システムのモード設定処理（サブルーチン）を示すフローチャートである。
【０２１３】
以下、第８実施形態の躯体内環境管理システム１について、前述した第５実施形態および第６実施形態との相違点を中心に説明し、同様の事項については、その説明を省略する。
【０２１４】
図１７に示すように、第８実施形態の躯体内環境管理システム１は、第６実施形態における時刻取得手段６４を、第５実施形態における日射計（日射量取得手段）８７に換えたものであり、制御装置６は、カレンダー手段６３により得られた月日に基づいて、季節を判別し、日射計８７により得られた住宅１０の外部の日射量に基づいて、昼間と夜間とを判別するように構成されている。
【０２１５】
次に、図１８に示すフローチャートに基づいて、躯体内環境管理システム１の作用（動作）を説明する。
【０２１６】
第８実施形態の躯体内環境管理システム１では、ステップＳ１０１のモード設定処理（図３参照）のみが第１実施形態と異なっており、そのモード設定処理では、図１８に示すように、現在の月が、α月〜β月か否かを判断し（ステップＳ９０１）、α月〜β月と判断した場合は、日射計８７により検出された住宅１０の外部の日射量が、しきい値Ｖ０より大きいか否かを判断し（ステップＳ９０２）、外部の日射量がしきい値Ｖ０より大きいと判断した場合は、夏昼モードに設定し（ステップＳ９０４）、外部の日射量がしきい値Ｖ０以下と判断した場合は、夏夜モードに設定する（ステップＳ９０５）。
【０２１７】
また、ステップＳ９０１においてα月〜β月ではないと判断した場合は、日射計８７により検出された住宅１０の外部の日射量が、しきい値Ｖ０より大きいか否かを判断し（ステップＳ９０３）、外部の日射量がしきい値Ｖ０より大きいと判断した場合は、冬昼モードに設定し（ステップＳ９０６）、外部の日射量がしきい値Ｖ０以下と判断した場合は、冬夜モードに設定する（ステップＳ９０７）。
【０２１８】
この躯体内環境管理システム１によれば、前述した第５実施形態および第６実施形態と同様の効果が得られる。
【０２１９】
なお、この第７実施形態は、前記第２実施形態および第３実施形態にもそれぞれ適用することができる。
【０２２０】
以上、本発明の躯体内環境管理システムを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０２２１】
また、本発明は、前記各実施形態のうちの、任意の２以上の構成（特徴）を組み合わせたものであってもよい。
【０２２２】
また、本発明では、季節判別手段は、夏と冬との他に、さらに、例えば、春と秋とのういちのいずれか一方または両方を判別するよう構成されていてもよい。
【０２２３】
また、本発明では、結露センサ（結露検出手段）が省略されていてもよい。
【０２２４】
また、本発明では、換気手段の換気部の数は、３つ（第１の換気部が１つと、第２の換気部が２つ）に限らず、例えば、１つ、２つ、または、４つ以上であってもよい。また、換気状態は、少なくとも１つの換気部の連通口が開いた状態であればよい。
【０２２５】
また、本発明の躯体内環境管理システムが適用される住宅（建築物）は、２階建てに限らず、例えば、１階建て、または、３階建て以上であってもよい。また、例えば、地下室が設けられていてもよい。
【０２２６】
また、本発明の躯体内環境管理システムが設置される建築物としては、住宅に限定されず、例えば、駅やビル等の公共の施設等が挙げられる。
【図面の簡単な説明】
【０２２７】
【図１】本発明の躯体内環境管理システムの第１実施形態が適用された建築物としての住宅の概略構造を示す断面図である。
【図２】図１に示す躯体内環境管理システムのブロック図である。
【図３】図１に示す躯体内環境管理システムの制御装置の制御動作を示すフローチャートである。
【図４】モード設定処理（サブルーチン）を示すフローチャートである。
【図５】本発明の躯体内環境管理システムの第２実施形態における制御装置の制御動作を示すフローチャートである。
【図６】本発明の躯体内環境管理システムの第３実施形態を示すブロック図である。
【図７】図６に示す躯体内環境管理システムの制御装置の制御動作を示すフローチャートである。
【図８】図６に示す躯体内環境管理システムの制御装置の制御動作を示すフローチャートである。
【図９】本発明の躯体内環境管理システムの第４実施形態を示すブロック図である。
【図１０】図９に示す躯体内環境管理システムのモード設定処理（サブルーチン）を示すフローチャートである。
【図１１】本発明の躯体内環境管理システムの第５実施形態を示すブロック図である。
【図１２】図１１に示す躯体内環境管理システムのモード設定処理（サブルーチン）を示すフローチャートである。
【図１３】本発明の躯体内環境管理システムの第６実施形態を示すブロック図である。
【図１４】図１３に示す躯体内環境管理システムのモード設定処理（サブルーチン）を示すフローチャートである。
【図１５】本発明の躯体内環境管理システムの第７実施形態を示すブロック図である。
【図１６】図１５に示す躯体内環境管理システムのモード設定処理（サブルーチン）を示すフローチャートである。
【図１７】本発明の躯体内環境管理システムの第８実施形態を示すブロック図である。
【図１８】図１７に示す躯体内環境管理システムのモード設定処理（サブルーチン）を示すフローチャートである。
【符号の説明】
【０２２８】
１                躯体内環境管理システム
１０              住宅
２０              躯体
２１              屋根部
２２              外壁部
２３              断熱材
２４              基台部
２５１、２６１、２７１  内壁部
２５２、２６２、２７２  天井
２５３、２６３、２７３  床
３１、３２、３３  室
４０              躯体内空間
４１              小屋空間
４２              床下空間
４３              ふところ空間
４４、４５、４６  内壁空間
５１              第１の換気部
５１１            第１の連通口
５２、５３        第２の換気部
５２１、５３１    第２の連通口
６                制御装置
６１              ＣＰＵ
６２              メモリ
６３              カレンダー手段
６４              時刻取得手段
７１              表示部
７２              操作部
８１              結露センサ
８２、８３        湿度センサ
８４、８５        温度センサ
８６              光センサ
８７              日射計
Ｓ１０１〜Ｓ１１６  ステップ
Ｓ２０１〜Ｓ２１３  ステップ
Ｓ３０１〜Ｓ３２４  ステップ
Ｓ４０１〜Ｓ４０７  ステップ
Ｓ５０１〜Ｓ５０７  ステップ
Ｓ６０１〜Ｓ６０７  ステップ
Ｓ７０１〜Ｓ７０７  ステップ
Ｓ８０１〜Ｓ８０７  ステップ
Ｓ９０１〜Ｓ９０７  ステップ
【図１】
2008202819.tif 000003
【図２】
2008202819.tif 000004
【図３】
2008202819.tif 000005
【図４】
2008202819.tif 000006
【図５】
2008202819.tif 000007
【図６】
2008202819.tif 000008
【図７】
2008202819.tif 000009
【図８】
2008202819.tif 000010
【図９】
2008202819.tif 000011
【図１０】
2008202819.tif 000012
【図１１】
2008202819.tif 000013
【図１２】
2008202819.tif 000014
【図１３】
2008202819.tif 000015
【図１４】
2008202819.tif 000016
【図１５】
2008202819.tif 000017
【図１６】
2008202819.tif 000018
【図１７】
2008202819.tif 000019
【図１８】
2008202819.tif 000020